(57)【要約】【課題】吸収性物品を内包している吸収性物品包装体の袋部材が、開口規定部の終端部から裂けにくい吸収性物品包装体を提供すること。【解決手段】複数の吸収性物品（２０）と、袋部材（３０）と、シール部材（４０）と、を有する吸収性物品包装体（１０）であって、袋部材（３０）は、開口規定部（３２）を有し、シール部材（４０）は、開口規定部（３２）を覆っており、シール部材（４０）の一部分を、袋部材（３０）から分離することにより開口規定部（３２）が破断されて開口部（３１）が形成されるように構成され、開口規定部（３２）は、引っ張り方向の下流側において、引っ張り方向と交差する左右方向の両側にそれぞれ終端部（３３）を有し、終端部（３３）は、それぞれ、引っ張り方向の最下流位置（Ｘ）から、引っ張り方向の上流側に向かい且つ左右方向の外側から内側に向かう返し部（３４）を有することを特徴とする。【選択図】図５
2020059547.tif 000002
【特許請求の範囲】
【請求項１】
複数の吸収性物品と、前記複数の吸収性物品を収容する袋部材と、少なくとも一部分が前記袋部材から分離可能に設けられたシール部材と、を有する吸収性物品包装体であって、
前記袋部材は、開口部を規定する開口規定部を有し、
前記シール部材は、前記開口規定部を覆っており、
前記シール部材の前記一部分を、前記袋部材から分離することにより前記開口規定部が破断されて前記開口部が形成されるように構成されており、
前記開口規定部は、前記シール部材を前記袋部材から分離する際に引っ張られる方向である引っ張り方向の下流側において、前記引っ張り方向と交差する左右方向の両側にそれぞれ終端部を有し、
前記終端部は、それぞれ、前記終端部の前記引っ張り方向の最下流位置から、前記引っ張り方向の上流側に向かい且つ前記左右方向の外側から内側に向かう返し部を、有することを特徴とする吸収性物品包装体。
【請求項２】
請求項１に記載の吸収性物品包装体であって、
前記シール部材は、前記引っ張り方向の上流側につまみ部を有し、前記開口規定部を覆うように前記袋部材に接着されており、
前記シール部材において、前記返し部よりも前記引っ張り方向の下流側の単位面積当たりの接着力は、前記つまみ部に隣接する部分の単位面積当たりの接着力よりも強い
ことを特徴とする吸収性物品包装体。
【請求項３】
請求項１又は２に記載の吸収性物品包装体であって、
前記開口部を形成した後に、前記吸収性物品包装体は、前記シール部材によって前記開口部を再封止可能であり、
前記シール部材の破断強度は、前記袋部材の破断強度よりも高い
ことを特徴とする吸収性物品包装体。
【請求項４】
請求項１から請求項３のいずれか１項に記載の吸収性物品包装体であって、
前記開口規定部における前記引っ張り方向の最上流位置は、前記吸収性物品包装体の前面となる部分に設けられ、前記返し部は、前記吸収性物品包装体の上面となる部分に設けられている
ことを特徴とする吸収性物品包装体。
【請求項５】
請求項１から請求項４のいずれか１項に記載の吸収性物品包装体であって、
前記開口規定部は、複数の切れ目を有し、
前記返し部における前記切れ目の間隔は、前記開口規定部の前記返し部以外の部分における前記切れ目の間隔よりも短い
ことを特徴とする吸収性物品包装体。
【請求項６】
請求項５に記載の吸収性物品包装体であって、
前記開口規定部において、前記引っ張り方向の前記最下流位置は、前記切れ目と重なる位置である
ことを特徴とする吸収性物品包装体。
【請求項７】
請求項１から請求項５のいずれか１項に記載の吸収性物品包装体であって、
前記終端部は、曲線状の曲線部を備えており、前記引っ張り方向の前記最下流位置は、前記曲線部に設けられている
ことを特徴とする吸収性物品包装体。
【請求項８】
請求項１から請求項５のいずれか１項に記載の吸収性物品包装体であって、
前記返し部は、前記引っ張り方向の長さが前記左右方向の長さよりも短い
ことを特徴とする吸収性物品包装体。
【請求項９】
請求項１に記載の吸収性物品包装体であって、
前記複数の吸収性物品は、それぞれ、吸収性本体と、前記吸収性本体を包装する包装材とを有し、前記包装材は、前記吸収性本体を内包して所定方向に沿う折り位置にて前記吸吸収性本体と共に折り畳まれ、
折り畳まれた状態の前記吸収性物品は、互いに直交する縦方向、横方向及び厚さ方向を有し、
前記袋部材は、前記左右方向と交差する上下方向を有し、
前記吸収性物品は、前記吸収性物品の前記縦方向が、前記袋部材の前記上下方向に沿うように収容されており、
前記左右方向の両側に設けられた前記返し部のそれぞれの前記左右方向における内側端同士の間隔は、前記折り畳まれた状態における前記吸収性本体の前記横方向の長さよりも長い
ことを特徴とする吸収性物品包装体。
【請求項１０】
請求項９に記載の吸収性物品包装体であって、
前記折り畳まれた状態における前記吸収性物品の厚みは、前記返し部の前記引っ張り方向の最下流位置から最上流位置までの長さよりも大きい
ことを特徴とする吸収性物品包装体。
【発明の詳細な説明】
【技術分野】
【０００１】
本発明は、吸収性物品包装体に関する。
【背景技術】
【０００２】
生理用ナプキン等の吸収性物品が複数内包されている吸収性物品包装体として、特許文献１には、ナプキンを取り出すための開口部と、開口部を覆うように設けられたラベルテープとを有し、ラベルテープによって開口部を再封止できる包装体が開示されている。
【先行技術文献】
【特許文献】
【０００３】
【特許文献１】中国実用新案公告第２４８１３１２号明細書
【発明の概要】
【発明が解決しようとする課題】
【０００４】
生理用ナプキン等の吸収性物品を複数内包している吸収性物品包装体が再封止可能な吸収性物品包装体である場合、使用者は、包装体に貼着されたシール部材を部分的に引き剥がすことによって開封を行う。吸収性物品包装体の開口部を形成するために、吸収性物品包装体にはミシン目等の開口規定部が設けられているが、吸収性物品包装体を開封する際、シール部材を引っ張る力によって、開口規定部の終端を起点として包装体が裂けてしまうといった問題が生じていた。
【０００５】
本発明は、上記のような従来の問題に鑑みてなされたものであって、その目的は、吸収性物品を内包している吸収性物品包装体の袋部材が、開口規定部の終端部から裂けにくい吸収性物品包装体を提供することにある。
【課題を解決するための手段】
【０００６】
上記目的を達成するための主たる発明は、複数の吸収性物品と、前記複数の吸収性物品を収容する袋部材と、少なくとも一部分が前記袋部材から分離可能に設けられたシール部材と、を有する吸収性物品包装体であって、前記袋部材は、開口部を規定する開口規定部を有し、前記シール部材は、前記開口規定部を覆っており、前記シール部材の前記一部分を、前記袋部材から分離することにより前記開口規定部が破断されて前記開口部が形成されるように構成されており、前記開口規定部は、前記シール部材を前記袋部材から分離する際に引っ張られる方向である引っ張り方向の下流側において、前記引っ張り方向と交差する左右方向の両側にそれぞれ終端部を有し、前記終端部は、それぞれ、前記終端部の前記引っ張り方向の最下流位置から、前記引っ張り方向の上流側に向かい且つ前記左右方向の外側から内側に向かう返し部を有する、ことを特徴とする吸収性物品包装体である。  
本発明の他の特徴については、本明細書及び添付図面の記載により明らかにする。
【発明の効果】
【０００７】
本発明によれば、吸収性物品を内包している吸収性物品包装体の袋部材が、開口規定部の終端部から裂けにくい吸収性物品包装体を提供できる。
【図面の簡単な説明】
【０００８】
【図１】図１は、吸収性物品包装体１０の概略斜視図である。
【図２】図２は、図１の吸収性物品包装体１０を開封した状態の図である。
【図３】図３は、吸収性物品２０の斜視図である。
【図４】図４は、吸収性物品２０を開封して展開し、吸収性物品２０の肌側から見た状態の図である。
【図５】図５は、図１の吸収性物品包装体１０について、シール部材４０を透視した状態を表す概略斜視図である。
【図６】図６は、シール部材４０を透視して、開口規定部３２を視認できるようにした状態の平面図である。
【図７】図７は、開口規定部３２の一方の終端部３３を拡大した図である。
【図８】図８Ａは、終端部３３の第１変形例の説明図であり、図８Ｂは、終端部３３の第２変形例の説明図であり、図８Ｃは、終端部３３の第３変形例の説明図である。
【発明を実施するための形態】
【０００９】
本明細書及び添付図面の記載により、少なくとも以下の事項が明らかとなる。
複数の吸収性物品と、前記複数の吸収性物品を収容する袋部材と、少なくとも一部分が前記袋部材から分離可能に設けられたシール部材と、を有する吸収性物品包装体であって、前記袋部材は、開口部を規定する開口規定部を有し、前記シール部材は、前記開口規定部を覆っており、前記シール部材の前記一部分を、前記袋部材から分離することにより前記開口規定部が破断されて前記開口部が形成されるように構成されており、前記開口規定部は、前記シール部材を前記袋部材から分離する際に引っ張られる方向である引っ張り方向の下流側において、前記引っ張り方向と交差する左右方向の両側にそれぞれ終端部を有し、
前記終端部は、それぞれ、前記終端部の前記引っ張り方向の最下流位置から、前記引っ張り方向の上流側に向かい且つ前記左右方向の外側から内側に向かう返し部を有する、ことを特徴とする吸収性物品包装体である。
【００１０】
このような吸収性物品包装体によれば、開口規定部の終端部に設けられた返し部が引っ張り方向の上流側に返されることで、袋部材が終端部から引っ張り方向の下流側に裂けることを防止することができる。さらに、開口規定部において引っ張る力が加わりやすい最下流位置及び終端部の左右方向の最も外側部分に対して、返し部を左右方向の内側に設けていることから、終端部には引っ張る力が伝わりにくくなり、終端部を起点として包装体が裂けることを防止できる。
【００１１】
かかる吸収性物品包装体であって、前記シール部材は、前記引っ張り方向の上流側につまみ部を有し、前記開口規定部を覆うように前記袋部材に接着されており、前記シール部材において、前記返し部よりも前記引っ張り方向の下流側の単位面積当たりの接着力は、前記つまみ部に隣接する部分の単位面積当たりの接着力よりも強いことが望ましい。
【００１２】
このような吸収性物品包装体によれば、シール部材を用いて吸収性物品包装体を開封する際、返し部よりさらに引っ張り方向の下流側の接着力が強いことにより、シール部材の引き剥がしが制止され、シール部材が完全に引き剥がされてしまうことを防止できる。
【００１３】
かかる吸収性物品包装体であって、前記開口部を形成した後に、前記吸収性物品包装体は、前記シール部材によって前記開口部を再封止可能であり、前記シール部材の破断強度は、前記袋部材の破断強度よりも高いことが望ましい。
【００１４】
このような吸収性物品包装体によれば、再封止可能な吸収性物品包装体である場合、吸収性物品を取り出す度にシール部材に対して引っ張り方向の力が加わるが、シール部材は破断強度が高いため、繰り返しの使用に耐えることができる。
【００１５】
かかる吸収性物品包装体であって、前記開口規定部における前記引っ張り方向の最上流位置は、前記吸収性物品包装体の前面となる部分に設けられ、前記返し部は、前記吸収性物品包装体の上面となる部分に設けられていることが望ましい。
【００１６】
このような吸収性物品包装体によれば、開口規定部を覆うシール部材を引き剥がそうとする際に、開口規定部が吸収性物品包装体の前面と上面の二面に渡って設けられているため、シール部材を引っ張る力が吸収性物品包装体の前面に沿う引っ張り力から上面に沿う引っ張り力に切り替わる。それにより、引っ張る力が低減されて袋部材が破れにくくなる。
【００１７】
かかる吸収性物品包装体であって、前記開口規定部は、複数の切れ目を有し、前記返し部における前記切れ目の間隔は、前記開口規定部の前記返し部以外の部分における前記切れ目の間隔よりも短いことが望ましい。
【００１８】
このような吸収性物品包装体によれば、切れ目の間隔は短い方がより破断され易いことから、破断方向を開口規定部に沿って引っ張り方向の下流側から上流側へ誘導する返し部において、切れ目の間隔が狭いことによって破断方向への破断が伝播され易くなる。これにより、返し部において開口規定部を容易に破断することができ、終端部が最下流位置よりも引っ張り方向の下流側に破れることを抑制できる。
【００１９】
かかる吸収性物品包装体であって、前記開口規定部において、前記引っ張り方向の前記最下流位置は、前記切れ目と重なる位置であることが望ましい。
【００２０】
このような吸収性物品包装体によれば、引っ張り方向の最下流位置を起点とする返し部を有する終端部は、最下流位置が切れ目と重なることで破断され易くなり、引っ張り方向の下流側に向かっていた開口規定部が上流側に反転しても、スムーズに方向転換が可能である。
【００２１】
かかる吸収性物品包装体であって、前記終端部は、曲線状の曲線部を備えており、前記引っ張り方向の前記最下流位置は、前記曲線部に設けられていることが望ましい。
【００２２】
このような吸収性物品包装体によれば、開口規定部が引っ張り方向の最下流位置を起点に反対方向である上流側に向きを変更する際に、曲線部分によって滑らかに変更することができる。
【００２３】
かかる吸収性物品包装体であって、前記返し部は、前記引っ張り方向の長さが前記左右方向の長さよりも短いことが望ましい。
【００２４】
このような吸収性物品包装体によれば、引っ張り方向の上流側に返る長さが長くなると、返し部を含む終端部が下流側から上流側へと細片状のように破断されてしまい、終端部が裂け易くなるが、上流側に返る長さを短くできることで破断される長さも減少され、終端部を破れにくくする。
【００２５】
かかる吸収性物品包装体であって、前記複数の吸収性物品は、それぞれ、吸収性本体と、前記吸収性本体を包装する包装材とを有し、前記包装材は、前記吸収性本体を内包して所定方向に沿う折り位置にて前記吸吸収性本体と共に折り畳まれ、折り畳まれた状態の前記吸収性物品は、互いに直交する縦方向、横方向及び厚さ方向を有し、前記袋部材は、前記左右方向と交差する上下方向を有し、前記吸収性物品は、前記吸収性物品の前記縦方向が、前記袋部材の前記上下方向に沿うように収容されており、前記左右方向の両側に設けられた前記返し部のそれぞれの前記左右方向における内側端同士の間隔は、前記折り畳まれた状態における前記吸収性本体の前記横方向の長さよりも長いことが望ましい。
【００２６】
このような吸収性物品包装体によれば、吸収性物品包装体から個々の吸収性物品を取り出すときに、吸収性物品が返し部に引っ掛かりにくいため、開口規定部の終端部から袋部材が裂けるのを防ぐことができる。また、吸収性物品包装体の開口部から吸収性物品を容易に取り出すことができる。
【００２７】
かかる吸収性物品包装体であって、前記折り畳まれた状態における前記吸収性物品の厚みは、前記返し部の前記引っ張り方向の最下流位置から最上流位置までの長さよりも大きいことが望ましい。
【００２８】
このような吸収性物品包装体によれば、吸収性物品の厚みに対して返し部の引っ張り方向の長さの方が短いため、吸収性物品を吸収性物品包装体から取り出す際に引っかかって返し部が裂けるのを防ぐことができ、また、吸収性物品を容易に取り出すことができる。
＝＝＝実施形態＝＝＝
【００２９】
図１は、吸収性物品包装体１０の概略斜視図であり、図２は、図１の吸収性物品包装体１０を開封した状態の図である。吸収性物品包装体１０は、図１及び図２に示すように、複数の吸収性物品２０と、複数の吸収性物品２０を収容するための袋部材３０と、シール部材４０とを有している。また、吸収性物品包装体１０は、互いに交差する上下方向、前後方向及び左右方向を有する。上下方向において、吸収性物品２０を取り出す側を「上」とし、その反対側が「下」である。前後方向においても、吸収性物品２０を取り出す側を「前」とし、その反対側を「後」とする。
【００３０】
図３は、吸収性物品２０の斜視図である。図４は、吸収性物品２０を開封して展開し、吸収性物品２０の肌側から見た状態の図である。吸収性物品２０は、吸収性本体２４と、吸収性本体２４を包装する包装材としての包装シート２１とを有する。本実施形態に係る吸収性物品２０として生理用ナプキン（以下「ナプキン２０」という）を例に挙げて説明するが、吸収性物品２０には、生理用ナプキンに限らず、パンティーライナー、又は軽失禁用パッド等も含まれる。本実施形態のナプキン２０は、図３に示すように、吸収性本体２４が包装シート２１によって個別に包装されたものとする（以下「個包装体」ともいう）。
【００３１】
吸収性本体２４は、図４に示すように、互いに直交する長手方向である縦方向と短手方向である横方向とを有している。包装シート２１は、長方形状であるシート状の部材であり、互いに直交する長手方向である縦方向と短手方向である横方向とを有している。また、吸収性本体２４を包装する際に内側になる包装シート２１の面を内側面とする。ナプキン２０を開封して展開した状態（図４）において、包装シート２１の内側面上に、吸収性本体２４は、包装シート２１の縦方向と吸収性本体２４の縦方向が沿うようにその肌側面を上にして配置されている。個包装体である本実施形態のナプキン２０では、包装シート２１が、吸収性本体２４と共に吸収性本体２４の肌側面を内側にし、横方向に沿う２つの折り位置ＦＬ１、ＦＬ２にて折り畳まれているものとする。
【００３２】
また、ナプキン２０を開封して展開した状態において、包装シートの縦方向一方側の端部には、リードテープ２２が設けられている。リードテープ２２は、図３に示すように、吸収性本体２４を内包して横方向に沿う折り位置で吸収性本体２４と共に折り畳まれた状態の包装シート２１の開封口を留める。
【００３３】
ナプキン２０の横方向の両端部には、包装シート２１の対向する面同士を縦方向に沿って接合させたサイドシール部２３が形成されている。これにより、図３に示されるような個包装体の状態となる。包装シート２１の接合方法は、例えば、ヒートシール、超音波シール、接着剤、これらの組み合わせ等、周知の接合方法を例示できる。
【００３４】
袋部材３０は、図２に示すように複数のナプキン２０を収容している。袋部材３０において、各ナプキン２０は、ナプキン２０の縦方向が、袋部材３０の上下方向に沿うように収容される。また、複数のナプキン２０は、袋部材３０の前後方向に並ぶように収容される。その際、各ナプキン２０は、リードテープ２２が留められている面が袋部材３０の後側を向くように挿入される。
【００３５】
図５は、図１の吸収性物品包装体１０について、シール部材４０を透視した状態を表す概略斜視図である。図５に示すように、吸収性物品包装体１０を最初に開封する前の状態において、袋部材３０は、図２に示す開口部３１を規定するためのミシン目等の開口規定部３２（以下「ミシン目３２」）を有している。図５においては、便宜的にシール部材４０の範囲を二点鎖線で示し、ミシン目３２（点線部分）の位置を分り易くするために、シール部材４０を透視して示している。ミシン目３２は、シール部材４０の外縁よりも内側に位置しているため、ミシン目３２の全体がシール部材４０によって覆われる構成となっている。
【００３６】
シール部材４０は、図５から分かるように、吸収性物品包装体１０の上面の少なくとも一部を覆い、さらに吸収性物品包装体１０の前面の少なくとも一部を覆うように設けられている。すなわち、シール部材４０は、吸収性物品包装体１０の上面と前面の境界を跨ぐように設けられる。シール部材４０には、つまみ部４１が設けられており、使用者は、つまみ部４１を用いて吸収性物品包装体１０を開封及び再封止できる。
【００３７】
吸収性物品包装体１０を開封するには、シール部材４０の少なくとも一部分を袋部材３０から引き剥がすように分離させる。その際、使用者はつまみ部４１をつまんで、図１に示す引っ張り方向にシール部材４０を引っ張る。ここで、引っ張り方向とは、まず、シール部材４０を袋部材３０の前面の上下方向に沿って下側から上側に向かって引っ張り、袋部材３０の前面と上面との境までシール部材４０がきた時点で、次に袋部材３０の上面の前後方向の略後方かつ若干上方に向かって引っ張る方向のことである。引っ張り方向において、シール部材４０の引き剥がしの起点となるつまみ部４１がある側を上流側とし、その反対側を下流側とする。
【００３８】
上述の引っ張り方向は、吸収性物品包装体１０内に収容されているナプキン２０の残数が少なくなってきた場合には、吸収性物品包装体１０の形状に合わせて変化してもよい。例えば、吸収性物品包装体１０内のナプキン２０が残り僅かとなった場合、吸収性物品包装体１０を圧縮するようにシール部材４０を袋部材３０に留めることもでき、その場合は、吸収性物品包装体１０の上面が前面と一体となるような形状となる。吸収性物品包装体１０を圧縮するように封止した場合、再開封時の引っ張り方向は、袋部材３０の前面の上下方向に沿って下側から上側に向かって引っ張る方向となる。
【００３９】
また、シール部材４０には、袋部材３０と対向する側の面に接着層があり、図1に示すように、シール部材４０は袋部材３０に接着（貼着）されている。シール部材４０の接着力の詳細については後述する。
【００４０】
次に、吸収性物品包装体１０の開口部３１について説明する。まず、吸収性物品包装体１０の初回開封時において、使用者は、前述のようにシール部材４０のつまみ部４１をつまみ、引っ張り方向の下流側に向かってシール部材４０を部分的に引き剥がすようにする。例えば、図５においては、シール部材４０が上下方向の下側から上側に向かって徐々に剥がされる。このとき、シール部材４０の引き剥がしが図５示すミシン目３２上の点Ａに達するまでは、シール部材４０のみが袋部材３０から分離していく。そして、シール部材４０の引き剥がしが点Ａに到達すると、ミシン目３２の破断が始まり、袋部材３０のうちミシン目３２によって囲まれた内側の部分が、シール部材４０に付着したまま一緒に袋部材３０から分離していく。
【００４１】
その結果、袋部材３０の前面及び上面において、破断したミシン目３２が開口部３１となり、使用者は、開口部３１からナプキン２０を取り出すことができる。また、吸収性物品包装体１０を一度開封した後も、シール部材４０によって開口部３１を覆い、粘着層を介してシール部材４０を袋部材３０に貼着させることにより、開口部３１を再封止することができる。これにより、開封及び再封止を繰り返し行うことが可能となり、包装体１０の開封後もナプキン２０を清潔に保つことができる。
【００４２】
＜ミシン目３２の返し部３４の構成＞
次に、袋部材３０に設けられているミシン目３２について説明する。図６は、シール部材４０を透視して、ミシン目３２を視認できるようにした状態の平面図である。図７は、袋部材３０の左右方向左側の終端部３３を拡大した図である。図６に示すように、ミシン目３２は、シール部材４０を袋部材３０から分離させる際の引っ張り方向の下流側において、引っ張り方向と交差する左右方向の両側にそれぞれ終端部３３を有している。
【００４３】
一般に、袋部材３０に開口部形成のためのミシン目３２を設けた場合、吸収性物品包装体１０の開封時に、シール部材４０を引っ張る力が前述のように最終的に袋部材３０の前後方向の略後方かつ若干上方に向かって加わる。その際、引っ張り方向の下流に設けられたミシン目３２の終端から、袋部材３０がさらに引っ張り方向の上流側から下流側に、或いは左右方向の外側から内側に向かって裂けてしまうことが多い。
【００４４】
これに対し、本実施形態では、図６及び図７に示すように、左右方向の両側に設けられた終端部３３が、それぞれ、引っ張り方向の最下流位置Ｘから上流側に向かい且つ左右方向の外側から内側に向かう返し部３４を有している。当該最下流位置Ｘは、引っ張り方向において、袋部材３０の上面の前後方向の略後方かつ若干上方に向かう際の最下流位置のことである。終端部３３に設けられた返し部３４が引っ張り方向の上流側に返されることで、ミシン目３２の破断方向が上流側に誘導され、袋部材３０が終端部３３からさらに引っ張り方向の下流側に裂けることを防止できる。また、ミシン目３２においては、引っ張る力が終端部３３の左右方向の最も外側部分に加わり易いが、返し部３４が左右方向の外側から内側に向かうため、左右方向の内側に位置する返し部３４には、引っ張る力が伝わりにくくなる。その結果、終端部３３を起点として吸収性物品包装体１０が裂けることを防止できる。
【００４５】
また、本実施形態では、図５及び図６に示すように、ミシン目３２の引っ張り方向の最上流位置は、吸収性物品包装体１０の前面となる部分に設けられている。尚、ここでいう最上流位置は、引っ張り方向において、袋部材３０の前面の上下方向に沿って下側から上側に向かってシール部材４０を引っ張る際の最上流位置のことである。そして、ミシン目３２の返し部３４は、吸収性物品包装体１０の上面となる部分にそれぞれ設けられている。すなわち、ミシン目３２が、吸収性物品包装体１０の前面と上面の二面に渡って設けられているため、ミシン目３２を覆っているシール部材４０を引き剥がそうとするときに、シール部材４０を引っ張る力が吸収性物品包装体１０の前面に沿う引っ張り力から上面に沿う引っ張り力に切り替わり、引っ張る力が低減されて袋部材３０が破れにくくなる。
【００４６】
また、ミシン目３２は、図７に示すように、複数の切れ目から構成されている。ここで、隣り合う切れ目同士の間隔として、返し部３４におけるミシン目３２の切れ目の間隔をＳ１、ミシン目３２の返し部３４以外の部分における切れ目の間隔をＳ２とすると、間隔Ｓ１は、間隔Ｓ２よりも短くなっている。つまり、返し部３４において隣り合うミシン目３２同士の間隔（Ｓ１）の方が、返し部３４以外の部分の切れ目同士の間隔（Ｓ２）よりも狭くなるように構成されている。切れ目の間隔は短い方が破断され易く、破断方向をミシン目に沿って引っ張り方向の下流側から上流側へ誘導する返し部３４において、切れ目の間隔が狭いことによって破断方向への破断が伝播され易くなる。これにより、返し部３４においてミシン目３２を容易に破断することができ、終端部３３が最下流位置Ｘよりも引っ張り方向の下流側に破れることを抑制できる。
【００４７】
また、ミシン目３２は、図７に示すように、切れている部分（切れ目）と切れていない部分とを交互に繰り返して構成されている。そして、その切れている部分が引っ張り方向の最下流位置Ｘと重なっていることが好ましい。引っ張り方向の最下流位置Ｘを起点として返し部３４が設けられていることから、最下流位置Ｘが切れ目と重なることで、引っ張り方向の下流側に向かっていたミシン目３２が上流側に反転しても破断され易く、スムーズに方向転換できる。
【００４８】
また、終端部３３は、曲線状の曲線部を備えており、図７に示すように、引っ張り方向の最下流位置Ｘは、その曲線部に設けられている。これにより、ミシン目３２が引っ張り方向の最下流位置Ｘを起点に反対方向である上流側に向きを変更する際に、曲線部によって滑らかに変更可能である。
【００４９】
また、返し部３４において、図７に示すように、引っ張り方向の長さをｂ、左右方向の長さをａとする。もし引っ張り方向の上流側に返る長さ（図７でいう長さｂ）が長い場合、不用意な力が加わったときに、引っ張り方向の上流側に裂け目が広がってしまう虞があるため、長さｂは長さａよりも短いことが好ましい。また、長さｂを短くすることで、ミシン目３２が破断される長さも少なくて済む。
【００５０】
また、シール部材４０を引き剥がす際に加わる引っ張り方向の力は、ミシン目３２が引っ張り方向の下流側から上流側に反転した時点で上流側には伝わり難くなる。すなわち、返し部３４においても上流側に返る部分（長さｂに当たる部分）に対しては、引っ張り方向の力は加わり難いことから、引っ張り方向の長さｂは短く設定可能である。
【００５１】
次に、シール部材の接着力について説明する。シール部材４０の接着層は、基本的には、シール部材４０の厚さ方向の一方側の面（袋部材３０と対向する側の面）の全体に、所定の接着材を層状に塗布することによって形成されている。接着材としては、例えば、市販の接着剤やホットメルト型接着剤等を使用することができる。
【００５２】
そして、吸収性物品包装体１０では、つまみ部４１に隣接する部分（図６の罫線部で示される領域）における単位面積当たりの接着力は、返し部３４よりも引っ張り方向の下流側（図６の斜線部で示される領域）よりも弱くなっている。これにより、開口部３１がシール部材４０によって封止された状態であっても、袋部材３０に対するつまみ部４１に隣接する部分（図６の罫線部で示される領域）の接着力を弱くすることができる。したがって、使用者は吸収性物品包装体１０を開封する際に、つまみ部４１を摘みやすくなり、シール部材４０を引き剥がしやすくすることができる。つまみ部４１に隣接する部分における接着力を弱める方法としては、接着材の上に所定の接着力低減材を塗布することや、接着力低減材の密度（単位面積当たりの量）を大きくする等の方法がある。
【００５３】
また、シール部材４０の接着層については、少なくとも、返し部３４よりも引っ張り方向の下流側（図６の斜線部で示される領域）に、シール部材４０と袋部材３０との単位面積あたりの接着力が最も強い領域が設けられていればよい。シール部材４０のうち、開口部３１が形成される際に、袋部材３０から分離しない図６の斜線部の領域に接着力が強い領域が設けられていることにより、シール部材４０と袋部材３０とを当該領域において剥がれ難くすることができる。したがって、吸収性物品包装体１０の開封動作において、シール部材４０の全体が袋部材３０から完全に離脱してしまうことを抑制でき、袋部材３０が終端部３３で破れることを防止する。
【００５４】
また、シール部材４０によって、吸収性物品包装体１０の開口部３１を再封止可能であり、シール部材４０を用いて繰り返し開封及び再封止を行うことから、シール部材４０は、袋部材３０と比較して強度の高い部材で形成されている。本実施形態では、シール部材４０及び袋部材３０の破断強度（部材の一部が破断し始める時の最大引張強度）の測定を行うために、インストロン引張試験機を用いて各部材について以下のような引張強度の測定を行った。
【００５５】
先ず、シール部材４０及び袋部材３０の試験片を複数準備する。各試験片の大きさは、それぞれ幅２５ｍｍ、長さ３８ｍｍとする。そして、試験器のチャックに試験片の長辺方向の端部を保持し、チャックの移動速度を１００ｍｍ／ｍｉｎとして各試験片を引っ張り、各々の試験片の長さが５％伸長するときの強度について測定を行った。また、試験片の短辺方向についても同様の測定を実施した。
【００５６】
その結果、シール部材４０が５％伸長するときの強度の平均は、２５Ｎ／２５ｍｍであった。シール部材４０を引っ張ると、ある程度までは破れることなく伸長し、伸長率が５％程度となったときに材料の変形が目立ち始める。したがって、５％伸長時の強度を破断強度として考えると、本実施形態におけるシール部材４０の破断強度は、２５Ｎ／２５ｍｍ以上、より好ましくは３５Ｎ／２５ｍｍ以上となる。同様に、袋部材３０が５％伸長するときの強度の平均は、１８Ｎ／２５ｍｍであった。したがって、本実施形態における袋部材３０の破断強度は、１８Ｎ／２５ｍｍ以上、より好ましくは２０Ｎ／２５ｍｍ以上となる。したがって、本実施形態におけるシール部材４０の破断強度は、袋部材３０の破断強度よりも高く、シール部材４０自体が引っ張り方向に引っ張られた際に、シール部材４０の歪みを抑制でき、繰り返しの使用に耐えることができる。
【００５７】
また、本実施形態におけるシール部材４０の剛性（剛軟度）は、０．３０〜１．７０ｍＮである。シール部材４０の剛性はＪＩＳ  Ｌ１０９６：２０１０に規定されている曲げ反発性Ａ法（ガーレー法）に従って以下のように測定を行った。先ず、シール部材４０の開封方向（引っ張り方向に相当）を長さ方向とし、それと直行する方向を幅方向として、複数種類の剛性の試験片を準備する。試験片は、長さ３８ｍ、幅２５ｍｍとして、複数の試験片を採取する。そして、ガーレー剛軟度試験器（例えば、株式会社 大栄科学精機製作所製 ガーレー剛軟度試験機）を用いて、試験片の長辺を垂直にして試験器の可動アームのチャックに取り付け、振り子には所定のおもりを取り付ける。次に、可動アームを左または右に規定の速さで回転させ、試験片下端が振り子に一度接触した後、また振り子から離れる時の目盛を読み取る。この試験を複数回繰り返し、測定値の平均から剛軟度（ガーレこわさ）を算出する。
【００５８】
その結果、シール部材４０の剛性が０．３０ｍＮ未満の場合には、開封・再封止を繰り返し行う際に、シール部材４０に皺が発生し易く、再封止時に十分な密閉ができないことが確認された。一方、シール部材４０の剛性が１．７０ｍＮよりも大きい場合には、開封時に操作性が悪く、使用者に袋部材３０からナプキン２０（製品）を取り出し難い印象を与えてしまうことが確認された。したがって、シール部材４０の剛性を０．３０ｍＮ以上、１．７５ｍＮ以下とすることで、開封・再封止の動作を行いやすく、且つ、皺が形成されにくく密閉性を担保しやすくすることができる。
【００５９】
なお、本実施形態において、袋部材３０の左右方向の両側に設けられた返し部３４のそれぞれの左右方向における内側端同士の間隔Ｌ（図６参照）は、折り畳まれた状態における吸収性本体２４の横方向の長さ（幅）Ｗ２４（図３及び図４参照）よりも長いことが好ましい。例えば、吸収性本体２４の横方向の長さＷ２４が７０ｍｍである場合、上述の内側端同士の間隔Ｌが７３ｍｍになるように形成されてもよい。内側端同士の間隔Ｌの長さの方が長いことにより、吸収性物品包装体１０から個々のナプキン２０を取り出すときに、袋部材３０よりも高剛性である吸収性本体２４が返し部３４に引っ掛かりにくくなり、開口部３１からナプキン２０を容易に取り出すことができる。また、ナプキン２０が引っ掛かりにくいことで、ミシン目３２の終端部３３から袋部材３０が裂けることも防止できる。
【００６０】
さらに、図３に示す折り畳まれた状態におけるナプキン２０の厚さ方向における厚みＴは、返し部３４の引っ張り方向の最下流位置Ｘから最上流位置までの長さ（図７における長さｂ）よりも大きいことが望ましい。ナプキン２０の厚みＴに対して返し部３４の引っ張り方向の長さｂの方が短いことにより、ナプキン２０を包装体１０から取り出す際に袋部材３０に引っかかって返し部３４が裂けるのを防ぐことができる。また、引っかかりを防止することで、ナプキン２０を容易に取り出すこともできる。
＝＝＝その他の実施の形態＝＝＝
【００６１】
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【００６２】
また、上述の実施形態では、袋部材３０の開口部３１を規定する開口規定部３２において、ミシン目を例に挙げたが、何等これに限らない。例えば、開口規定部３２は、袋部材３０の外側から内側に向かって貫通しないように形成された切り込みでもよい。すなわち、使用者が初回開封時にシール部材４０を引き剥がそうとするときに、シール部材４０の粘着力によって破断される程度の脆弱な部分を開口規定部３２として袋部材３０にあらかじめ設けておけばよい。
【００６３】
また、上述の実施形態において、終端部３３は曲線部を備え、当該曲線部に引っ張り方向の最下流位置Ｘが設けられていたが、これに限らない。終端部３３は、以下の様に変形可能であり、図８Ａ〜図８Ｃは、第１〜第３変形例を示している。
【００６４】
図８Ａは、終端部３３の第１変形例の説明図であり、終端部３３は直線状の直線部３３Ｌを有している。そして、当該直線部３３Ｌでは、最下流位置Ｘが左右方向の内側端に位置している。この場合、ミシン目３２は、引っ張り方向の下流側の所定位置Ｙから、左右方向の外側から内側に直線状に設けられ、直線部３３Ｌの左右方向の内側端に位置する最下流位置Ｘを起点に左右方向の外側から内側且つ引っ張り方向の下流側から上流側に向かう返し部３４を有することとなる。
【００６５】
同様に、図８Ｂは、終端部３３の第２変形例の説明図である。図８Ｂに例示する終端部３３においては、ミシン目３２が、引っ張り方向の下流側の所定位置Ｙから最下流位置Ｘまで、直線状に引っ張り方向の上流から下流かつ左右方向の外側から内側に向かっている。そして、最下流位置Ｘから返し部３４が形成されている。図８Ａ及び図８Ｂに示されるように、返し部３４も直線状の直線部を有していてもよい。終端部３３が直線部を有していても、終端部３３は複数の切れ目を備え、又、最下流位置Ｘが切れ目の位置と重なっていることから、ミシン目３２の方向転換はスムーズに行われる。
【００６６】
さらに、図８Ｃは、終端部３３の第３変形例の説明図である。第３変形例においては、引っ張り方向の下流において、最下流位置Ｘに到達するまでに左右方向の外側から内側に向かう曲線部分（又は直線部分）を形成せずに、ミシン目３２の引っ張り方向の下流の所定位置を最下流位置Ｘとし、そこから直接返し部３４を設けている。上述の実施形態と同様に、最下流位置Ｘは切れ目と重なる位置であることから、ミシン目３２の引っ張り方向の下流から上流への方向転換は容易に行うことができる。第３変形例のような終端部３３は、返しの幅を少なくしたい場合等には好適である。
【００６７】
また、上述の実施形態では、図６に示すように、吸収性物品包装体１０の上面部分におけるミシン目３２は、引っ張り方向の上流から下流に向かって、前後方向に沿うようにシール部材４０の左右方向の端部と略平行に形成されているが、これに限らない。ミシン目３２は、吸収性物品包装体１０の上面部分においても、引っ張り方向の上流側から下流側に向かう際に、左右方向の内側から外側に向かうように形成されてもよい。
【符号の説明】
【００６８】
１０  吸収性物品包装体
２０  生理用ナプキン（吸収性物品）
２１  包装シート
２２  リードテープ
２３  サイドシール部
２４  吸収性本体
３０  袋部材
３１  開口部
３２  ミシン目（開口規定部）
３３  終端部
３３Ｌ  直線部
３４  返し部
４０  シール部材
４１  つまみ部
ＦＬ１、ＦＬ２  折り位置
ａ  左右方向の長さ
ｂ  引っ張り方向の長さ
Ｌ  内側端同士の間隔
Ｔ  厚み
Ｗ２４  吸収性本体の横方向の長さ
Ｘ  最下流位置
Ｓ１  切れ目の間隔
Ｓ２  切れ目の間隔
【図１】
2020059547.tif 000003
【図２】
2020059547.tif 000004
【図３】
2020059547.tif 000005
【図４】
2020059547.tif 000006
【図５】
2020059547.tif 000007
【図６】
2020059547.tif 000008
【図７】
2020059547.tif 000009
【図８】
2020059547.tif 000010